(57)【要約】      （修正有）【課題】多くのカード枚数の収納と、ポシェットとして機能を持たせると共に、併せてショルダーバックとしても使用できる財布を提供する。【解決手段】財布本体１は布、合成樹脂、皮革等の軟質性材料にて形成されると共に、底部１ａを中心として矢印方向Ｘに開蓋される左右表面側被覆部２、３にて構成されている。この左右表面側被覆部２、３の両側縁２ａ、３ａ及び上縁２ｂ、３ｂに亘って互いに結束されるファスナー４を備えており、左右表面側被覆部２、３にて内側収納部５が構成されると共に、左右表面側被覆部２、３の開蓋と独立し、且つ互いに開蓋される様、下縁６ａを互いに連ねた左右内面側被覆部６、７とで成している。更にこの左右表面側被覆部２、３の一方内側面と左右内面側被覆部６、７の一方外側面とをホック、面ファスナー等の止具８によって閉塞し、硬貨等の収納部９を構成する。【選択図】図３
0003201034.tif 000002
【実用新案登録請求の範囲】
【請求項１】
▲１▼布、合成樹脂、皮革等の軟質性材料にて形成されると共に、底部を中心として開蓋される左右表面側被覆部と、
▲２▼この左右表面側被覆部の両側縁及び上縁に亘って備えられると共に、互いに結束されるファスナーと、
▲３▼更に、前記左右表面側被覆部にて形成された内側収納部に位置すると共に、該左右表面側被覆部の開蓋と独立し、且つ互いに開蓋される様に下縁を互いに連ねた左右内面側被覆部と、
▲４▼前記左右表面側被覆部の一方内側面と左右内面側被覆部の一方外側面とをホック、面ファスナー等の止具によって閉塞して形成される硬貨等の収納部と、
▲５▼更に該収納部の外側面と前記左右表面側被覆部の他方内側面との間に介在する紙幣収納部と、
▲６▼この紙幣収納部の外側面及びこの紙幣収納部の外側面と対面する前記左右内面側被覆部の一方内側面との夫々に形成された多数のカード収納用ポケットとで成したことを特徴とする財布。
【請求項２】
前記左右表面側被覆部の一方表面側被覆部は、最側被覆部を形成してホックにて閉塞する外収納部を構成したことを特徴とする請求項１記載の財布。
【請求項３】
前記左右表面側被覆部の一方表面側被覆部は、外収納部と反対側の表面側被覆部にショルダーバック用の吊り環を備えたことを特徴とする請求項１〜２の何れか１記載の財布。
【考案の詳細な説明】
【技術分野】
【０００１】  本考案は紙幣、カード、更には硬貨、カギ等を区別して収納する財布に関する。
【背景技術】
【０００２】  今日、身の回り品の多様化に伴い、財布には本来の紙幣、硬貨とは別に複数枚のカード、更には自宅のカギ、車のキー等を収納して持ち運んでいる。
勿論、これら収納品は個々の用途、形状によって収納位置別に区分されて財布に収納される。
先ず下記特許文献１に示す如く、主に紙幣及びカードを収納する左右表面側の被覆部、硬貨及び自宅のカギ、車のキー等の金属品を収納する内側収納部は共に、ファスナーにて互いに結束している。
従って、内側収納部を開蓋する場合は、先ず表面側被覆部のファスナーを引き開き、次いで指先をその開蓋した状態の表面側被覆部に差し入れて内側収納部のファスナーを引き操作して開くこととなり、狭い場所でのファスナーのスライド操作を２度に亘って行う煩わしさがある。
斯様な煩わしさに鑑み、本考案者は下記特許文献２に示す実用新案登録第３１８５５１２号を成した。【０００３】  而して、本考案は最近のニーズに対応すべく、更なる多くのカード枚数の収納と、ポシェットとして機能を持たせると共に、併せてショルダーバックとしても使用できることを企図したものである。
【先行技術文献】
【０００４】
【特許文献１】  実用新案登録第３１０８８７９号  公報
【特許文献１】  実用新案登録第３１８５５１２号  公報
【考案の概要】
【考案が解決しようとする課題】
【０００５】  多くのカード枚数の収納と、ポシェットとしての機能も備えさせると共に、併せてショルダーバックとしても応用展開できることを企図したものである。
【課題を解決するための手段】
【０００６】  本考案は、布、合成樹脂、皮革等の軟質性材料にて形成されると共に、底部を中心として開蓋される左右表面側被覆部と、この左右表面側被覆部の両側縁及び上縁に亘って備えられると共に、互いに結束されるファスナーと、更に、前記左右表面側被覆部にて形成された内側収納部に位置すると共に、該左右表面側被覆部の開蓋と独立し、且つ互いに開蓋される様に下縁を互いに連ねた左右内面側被覆部と、前記左右表面側被覆部の一方内側面と左右内面側被覆部の一方外側面とをホック、面ファスナー等の止具によって閉塞して形成される硬貨等の収納部と、更に該収納部の外側面と前記左右表面側被覆部の他方内側面との間に介在する紙幣収納部と、この紙幣収納部の外側面及びこの紙幣収納部の外側面と対面する前記左右内面側被覆部の一方内側面との夫々に形成された多数のカード収納用ポケットとで成したことを特徴とするものである。【０００７】  更に本考案は、左右表面側被覆部の一方表面側被覆部は、更に最側被覆部を形成してホックにて閉塞する外収納部を構成したことを特徴とするものである。【０００８】  更に本考案は、左右表面側被覆部の一方表面側被覆部は、外収納部と反対側の表面側被覆部にショルダーバック用の吊り環を備えたことを特徴とするものである。
【考案の効果】
【０００９】（１）請求項１により、硬貨及びカギ、更には車のキー等の金属品はホック、面ファスナー等の止具によって閉塞される収納部に収納され、不用意に開いてとそれら収納品がこぼれ落ちることはなく、これらと異なる紙幣、カード等とは分別して収納、取り出すことができる。
更に収納部の外側面と前記左右表面側被覆部の他方内側面との間に介在する紙幣収納部、この紙幣収納部の外側面及びこの紙幣収納部の外側面と対面する前記左右内面側被覆部の一方内側面とに夫々カード収納用ポケットを設けているので、多くのカードをその用途毎に分別して収納できる。【００１０】（２）請求項２により、ホックにて閉塞される外収納部は一時的に使用する車のキー等の身近な収納場所として適する。
（３）請求項３により、外収納部と反対側の表面側被覆部に具えられた吊り環にショルダーバック用の鎖を結び付けることも出来る。
【図面の簡単な説明】
【００１１】
【図１】財布の正面斜視図
【図２】同上の裏面斜視図
【図３】同上の開蓋した斜視図
【図４】同上の拡大断面図
【考案を実施するための形態】
【００１２】  以下本考案を実施形態の図面に基づいて説明すると、図１は財布の正面斜視図であって、財布本体１は布、合成樹脂、皮革等の軟質性材料にて形成されると共に、底部１ａを中心として矢印方向Ｘに開蓋される左右表面側被覆部２．３にて構成されている。
而して、この左右表面側被覆部２、３の両側縁２ａ、３ａ及び上縁２ｂ、３ｂに亘って互いに結束されるファスナー４を備えており、左右表面側被覆部２、３にて内側収納部５が構成されると共に、該左右表面側被覆部２、３の開蓋と独立し、且つ互いに開蓋される様、下縁６ａを互いに連ねた左右内面側被覆部６、７とで成している。
【００１３】  更にこの左右表面側被覆部６、７の一方内側面７ａと左右内面側被覆部２．３の一方外側面３ｃとをホック、面ファスナー等の止具８によって閉塞し、硬貨等の収納部９構成する。
更に該収納部９の外側面と前記左右表面側被覆部２、３の他方内側面との間に介在する紙幣収納部１０を構成する。
この紙幣収納部１０の外側面及びこの外側面と対面する前記左右内面側被覆部６、７の一方内側面７ａとの夫々には多数のカードＣの収納用ポケット１１を形成している。
【００１４】  又、左右表面側被覆部６、７の一方表面側被覆部７には最側被覆部７ｂを形成して摘子１２のホック１３にて閉塞する外収納部１４を構成しており、車のキー等の一時的に使用する身近な収納箇所として適する。
更に図２に示す如く、外収納部１４と反対側の表面側被覆部６側にはポケット１５を設けて吊り環１６を忍ばせておき、この吊り環１６にショルダーバック用の鎖１７を結び付けることとしている。
【符号の説明】
【００１５】Ｃ    カード
１    財布本体
２    左表面側被覆部
３    右表面側被覆部
４    ファスナー
５    内側収納部
６    左内面側被覆部
７    右表面側被覆部
８    止具
９    硬貨等の収納部
１０  紙幣収納部
１１  収納用ポケット
１２  摘子
１３  ホック
１４  外収納部
１５  ポケット
１６  吊り環
１７  鎖
【図１】
0003201034.tif 000003
【図２】
0003201034.tif 000004
【図３】
0003201034.tif 000005
【図４】
0003201034.tif 000006